(57)【要約】【課題】光書き込み型記録媒体が画像書き込み装置の表示画面上に配置された配置位置を把握し、光書き込み型記録媒体の所定領域に正確に画像を記録することができる画像書き込み装置および画像書き込み方法を提供する。【解決手段】表示画面上に配置された、光の照射により画像が記録される光書き込み型記録媒体１１に画像を記録する画像書き込み装置であって、表示画面２１上に光書き込み型記録媒体１１が配置された配置位置を検出する媒体検出部２５と、入力された画像信号に基づく画像を、表示画面２１の、媒体検出部２５により検出された配置位置に合わせて表示する画像処理部２３とを備えた。【選択図】図２
2004252120.tif 000002
【特許請求の範囲】
【請求項１】
画像が表示される表示画面を備え、該表示画面上に配置された、光の照射により画像が記録される光書き込み型記録媒体に、該表示画面に表示された画像を記録する画像書き込み装置であって、
前記表示画面上に前記光書き込み型記録媒体が配置された配置位置を検出する媒体検出部と、
入力された画像信号に基づく画像を、前記表示画面の、前記媒体検出部により検出された前記配置位置に合わせて表示する画像処理部とを備えたことを特徴とする画像書き込み装置。
【請求項２】
前記画像処理部は、前記配置位置に合わせて画像を表示する媒体追従モードのほか、前記表示画面の予め定められた所定位置に画像を表示する標準モードを有し、前記媒体追従モードと前記標準モードとのうちの何れかのモードに切り換えるモード切換部を備えたことを特徴とする請求項１記載の画像書き込み装置。
【請求項３】
前記光書き込み型記録媒体を収納する収納部と、前記収納部に収納された前記光書き込み型記録媒体を、前記表示画面上に搬送し、画像が記録された該光書き込み型記録媒体を該表示画面上から排除する搬送部とを備えたことを特徴とする請求項１記載の画像書き込み装置。
【請求項４】
前記媒体検出部は、前記光書き込み型記録媒体のエッジ位置を検知するセンサと、該センサにより検知されたエッジ位置に基づいて前記所定位置に対する該光書き込み型記録媒体の傾き量と位置ずれ量とを求める演算部とを備え、
前記画像処理部は、前記モード切換部により前記媒体追従モードに切換えられたときは、前記所定位置を基準に、前記傾き量だけ回転させ、かつ前記位置ずれ量だけ移動させた位置に前記画像を表示するものであることを特徴とする請求項２記載の画像書き込み装置。
【請求項５】
表示画面に画像を表示し、光の照射により画像が記録される光書き込み型記録媒体に、表示された画像を記録する画像書き込み方法であって、
前記光書き込み型記録媒体を前記表示画面上に配置するとともに、該光書き込み型記録媒体が配置された配置位置を検出し、検出された配置位置に合わせて画像を表示し、表示された画像を該光書き込み型記録媒体に記録することを特徴とする画像書き込み方法。
【請求項６】
前記配置位置に合わせて画像を表示する媒体追従モードと、前記表示画面の所定位置に画像を表示する標準モードとの何れかのモードに切り換えるモード切換部を備え、
前記表示画面の、前記モード切換部により切換えられたモードに応じた位置に画像を表示し、表示された画像を該光書き込み型記録媒体に記録することを特徴とする請求項５記載の画像書き込み方法。
【発明の詳細な説明】
【０００１】
【発明の属する技術分野】
本発明は、光書き込み型記録媒体に画像を記録する画像書き込み装置および画像書き込み方法に関する。
【０００２】
【従来の技術】
近年、地球環境保護の観点から森林伐採や廃棄物を減らす取り組みが活発に行われており、紙に代わる新しいハードコピー媒体への期待が高まっている。一方、ＰＣ、インターネット、モバイルなどの言葉に象徴される情報の電子化の進展により、電子化された情報に対する親和性が高い記録媒体の開発要求が強まっている。このような状況を踏まえ、紙媒体の持つ長所を生かし、紙媒体に近いヒューマンインターフェイスを有する、いわゆる「電子ペーパー」と呼ばれる新たな記録媒体の研究開発が盛んに行われている。
【０００３】
例えば、コレステリック液晶からなる表示素子と光導電層からなる光スイッチング素子とを備えた光書き込み型記録媒体などが提案されている（特許文献１参照）。
【０００４】
この光書き込み型記録媒体は、一対の電極間に液晶からなる表示素子と受光された光量に応じてインピーダンスが変化する光スイッチング素子とを積層し、一対の電極間に印加される電圧のうち表示素子に印加される分圧を、照射光量により制御することにより、表示素子に光量分布に応じた画像を記録するものである。
【０００５】
光書き込み型記録媒体の表示素子に用いる材料としては、コレステリック液晶の他に、ネマチック液晶、ツイストネマチック液晶、スーパーツイスト液晶、スメクチック液晶などの液晶材料や、表面安定化強誘電液晶、液晶材料をポリマー分散化したポリマー分散化液晶、液晶材料をカプセル化したカプセル化液晶などが知られている。特に、コレステリック液晶、強誘電液晶や、ポリマー分散化液晶、カプセル化液晶などのメモリ性を有する材料を表示素子として用いた光書き込み型記録媒体は、一旦表示素子に画像を記録すれば、以後は電源を取り外しても、その記録された画像が保持されるので、光量により制御されたデジタル画像情報を記録した後に、書き込み装置から切り離して持ち歩くことができるという利点がある。
【０００６】
また、受光光量に応じて電圧あるいは電流が変化する素子としては、例えば、ＣＣＤに用いられるフォトダイオードや密着型イメージセンサに用いられるアモルファスシリコン素子の他、エルグラフィに用いられる２層機能分離型光スイッチング構造や３層機能分離型有機光スイッチング素子などの有機感光体素子が検討されている。この有機感光体素子は、交流駆動の液晶素子等にも適用可能な上、高温の熱処理が不要であることから、ＰＥＴフィルムなどのフレキシブル基板への適用も可能であるという利点を有する。
【０００７】
コレステリック液晶を用いた光書き込み型記録媒体は、光量により制御されたデジタル画像情報を照射しながら電圧を印加することにより、全面に、瞬時に画像情報を記録することが可能であることから、従来の紙媒体への出力に比べて短時間で画像情報を記録することができる。したがって、例えばディスプレイ画面に表示された情報を紙媒体に出力する場合のように、思考が中断されることがない上、所定時間に記録可能な情報量も増えるので、時間に追われる作業をこなすユーザにとっては情報の閲覧性を改善する効果が大きい。また繰り返し書き換えて使用することも可能であることから、出力後短時間の閲覧で廃棄されるような、比較的寿命の短いドキュメントを記録するのに好適であり、紙資源の枯渇化、廃棄物の増加などの環境問題解消にも役立つものと思われる。
【０００８】
そのような光書き込み型記録媒体に、画像情報を記録する装置としては、光書き込み型記録媒体に２次元的な露光光を照射する光照射部と、電極間に電圧を印加する電圧印加部とを備えた画像書込装置が提案されている（特許文献２参照）。
【０００９】
しかしながら、複数の媒体に連続的に画像を記録する場合に、従来から多用されている電子写真方式や静電記録方式の画像形成装置などのように、記録用紙の高速、かつ高精度の傾き調整ができないという問題がある。
【００１０】
一般に、電子写真方式や静電記録方式の画像形成装置などでは、例えばトナー像を転写するニップ部に順次用紙を搬送し、移動しながらニップ部を通過する用紙に像担持体から線順次でトナー像を転写する。したがって、ニップ部に送り出す用紙の姿勢を予め修正した後に、ロールで用紙を順次送り出し、後端部がロールを通過する前に、先端部をニップ部に突入させて、用紙にスキューが生じないようにコントロールすることができる。
【００１１】
また、ニップ部に送り出す用紙の姿勢を予め修正するかわりに、ニップ部に送り出す用紙の傾きとニップ部に突入するタイミング、および用紙のプロセス方向のずれをセンサで検出し、像担持体に像を書き込む走査線の傾き、走査タイミング、および走査開始位置を補正して、用紙の姿勢に合わせたトナー像を形成することもできる（特許文献３参照）。
【００１２】
一方、画像書き込み装置は、光書き込み型記録媒体を所定位置に静止させ、光書き込み型記録媒体に画像を書き込む部分全体に、２次元的な露光光を、一括照射することにより瞬時に画像が記録されるので、上述した画像形成装置のように、記録媒体を搬送しながら姿勢をコントロールする方法は採れない。
【００１３】
【特許文献１】
特開２０００−１１１９４２号報（段落番号００１８〜段落番号００４０、図１、図１６）
【特許文献２】
特開２００１−３０１２３３号公報（段落番号００３８、段落番号００４４〜００４７、段落番号００６５〜００６６、図３、図４、図７）
【特許文献３】
特開平７−７２７０２号公報（段落番号００１１〜段落番号００１７、図１、図２）
【００１４】
【発明が解決しようとする課題】
本発明は上記事情に鑑み、光書き込み型記録媒体が画像書き込み装置の表示画面上に配置された配置位置を把握し、その配置位置に合わせて画像表示することにより光書き込み型記録媒体の所定領域に正確に画像を記録することができる画像書き込み装置および画像書き込み方法を提供することを目的とする。
【００１５】
【課題を解決するための手段】
上記の目的を達成する本発明の画像書き込み装置は、画像が表示される表示画面を備え、該表示画面上に配置された、光の照射により画像が記録される光書き込み型記録媒体に、該表示画面に表示された画像を記録する画像書き込み装置であって、
上記表示画面上に上記光書き込み型記録媒体が配置された配置位置を検出する媒体検出部と、
入力された画像信号に基づく画像を、上記表示画面の、上記媒体検出部により検出された上記配置位置に合わせて表示する画像処理部とを備えたことを特徴とする。
【００１６】
このように、表示画面上に配置された光書き込み型記録媒体の配置位置を検出する媒体検出部と、検出された配置位置に合わせて画像を表示する画像処理部とを備えているので、光書き込み型記録媒体の所定領域に正確に画像を記録することができる。
【００１７】
上記の目的を達成する本発明の画像書き込み方法は、表示画面に画像を表示し、光の照射により画像が記録される光書き込み型記録媒体に、表示された画像を記録する画像書き込み方法であって、
上記光書き込み型記録媒体を上記表示画面上に配置するとともに、該光書き込み型記録媒体が配置された配置位置を検出し、検出された配置位置に合わせて画像を表示し、表示された画像を該光書き込み型記録媒体に記録することを特徴とする。
【００１８】
このように、光書き込み型記録媒体が配置された配置位置を検出し、検出された配置位置に合わせて画像を表示するので、光書き込み型記録媒体の所定領域に正確に画像を記録することができる。
【００１９】
【発明の実施の形態】
以下に、本発明の画像書き込み装置および画像書き込み方法の実施形態について説明する。
（第１の実施形態）
図１は、第１の実施形態の画像書き込み装置の全体構成をあらわす概略構成図である。
【００２０】
図１に示す画像書き込み装置は、光書き込み型記録媒体１１を複数収納するフォルダ部１０と、画像を表示する表示画面２１に、光書き込み型記録媒体１１へ記録する画像を表示する光書き込み部２０と、フォルダ部１０から光書き込み型記録媒体１１を１枚ずつ引き出す、ゴムロールからなるフィードロール３１、引出した光書き込み型記録媒体１１を光書き込み部２０の表示画面２１上に配置する、ゴムロールからなる搬送ロール３２、および画像が記録された光書き込み型記録媒体を排除する、ゴムロールからなる排出ロール３３を有する搬送部３０と、画像が記録された光書き込み型記録媒体１１を収容するトレイ３４と、搬送部３０の各ロールを駆動し光書き込み型記録媒体１１を所定の位置に搬送するタイミングを調整するとともに、光書き込み部２０による画像表示のタイミングを調整する、制御部５とを備えている。なお、フォルダ部１０に収納される、本実施形態で用いる光書き込み型記録媒体１１は、例えば支持体上に、高分子樹脂のマトリックスと、その中に分散されたフォトクロミック材料とからなるフォトクロミック層が形成されたものを用いることができる。
【００２１】
この画像書き込み装置を用いて光書き込み型記録媒体１１に画像を記録するときは、制御部５の指令を受けて、フィードロール３１はフォルダー部１０から光書き込み型記録媒体１１を１枚引き出し、搬送ロール３２は、光書き込み型記録媒体１１を光書き込み部２０の表示画面２１上に密着させて配置する。光書き込み型記録媒体１１が配置されると、光書き込み部２０は、制御部５の指令を受けて、表示画面２１上に配置された光書き込み型記録媒体１１の配置位置にあわせて、バックライトに照らし出された表示画面２１に画像を表示し、光書き込み型記録媒体１１に表示画面２１の表示画像を記録する。画像が記録されると、制御部５の指令を受けて、搬送ロール３２および排出ロール３３は、光書き込み型記録媒体１１を表示画面２１上から排出しトレイ３４に収容する。
【００２２】
ここで、フォルダ部１０に収容される光書き込み型記録媒体のサイズは、予め特定しておくこともできるし、フォルダ部１０内に光書き込み型記録媒体１１のサイズを認識するセンサを設けておくことにより、例えばユーザが指定したサイズの光書き込み型記録媒体を引き出すように構成することもできる。
【００２３】
本実施形態の画像書き込み装置は、支持体にフォトクロミック層が形成された光書き込み型記録媒体を用いるように構成されているが、光書き込み部に電圧印加手段を設けることにより、１対のＰＥＴ基板それぞれの内面に電極１２ａが形成され、その１対の電極間にコレステリック液晶からなる表示層と光の照射により光量分布に応じたインピーダンス分布が生じる光導電層とが積層された光書き込み型記録媒体に画像を記録するようにしてもよい。
【００２４】
図２は、光書き込み部の断面を示す概略構成図である。
【００２５】
図２に示すように、光書き込み部２０は、画像が表示されるディスプレイ部２２と、パーソナルコンピュータ（以下、「ＰＣ」と称する。）などとのインタフェースを持ち、表示画面２１の、光書き込み型記録媒体１１が配置された配置位置に画像を表示する画像処理部２３と、表示画面２１上に配置された光書き込み型記録媒体１１の配置位置を検出する媒体検出部２５とを備えている。また、画像処理部２３は、表示画面の、予め決められた標準位置に画像を表示する標準モードと、媒体検出部２５により検出された光書き込み型記録媒体１１の配置位置に合わせて画像を表示する追従モードとを有しており、そのうちの追従モードにより画像を表示するときに必要な座標変換処理を行う座標変換部２４を有する。例えばＰＣ画面上で編集された画像のビットマップデータをインタフェースを介してシリアル信号に変換されて入力された画像信号は、画像処理部２３で、予め決められた標準位置に画像を表示するための拡大縮小処理などの座標変換処理が施される。そして、座標変換部２４により、媒体検出部２５により検出された光書き込み型記録媒体１１の配置位置情報により、標準位置を基準とする回転、移動などの座標変換処理が施された後、座標変換後の各座標の輝度情報がディスプレイ部２２に転送される。
【００２６】
ディスプレイ部２２は、液晶パネル等の空間光変調器からなる表示画面２１と、ＬＥＤなどからなるバックライト２６とを有し、画像処理部２３から転送された各座標の輝度情報に基づいて、光書き込み型記録媒体１１の配置位置に画像を表示する。
【００２７】
媒体検出部２５は、ＣＣＤ又はフォトダイオードなどが２次元配列された２次元センサと、２次元センサで検知された光書き込み型記録媒体１１の各位置の濃度データを演算する演算部とを備えている。そして、２次元センサにより光書き込み型記録媒体１１のエッジ位置を検知し、そのエッジ位置に基づいて、演算部により光書き込み型記録媒体１１の配置位置の、標準位置を基準とする傾き量（角度）と、位置ずれ量（Ｘ方向成分とＹ方向成分）とが算出される。
【００２８】
ここで、本実施形態では、２次元センサを用いているが、必ずしも２次元センサを用いる必要はなく、光書き込み型記録媒体の辺を形成する複数の位置と、１隅の位置とが検出できるものであればよい。
【００２９】
図３は、座標変換部による、標準位置を基準とする座標変換処理のアルゴリズムを示す模式図である。
【００３０】
図３において、ディスプレイ部の表示画面２１があり、その表示画面２１に光書き込み型記録媒体１１が搬送される方向がＸ方向、Ｘ方向に直交する方向が、Ｙ方向に設定されている。また、図中の太い破線は、表示画面２１の標準位置２１ａを示す。この標準位置２１ａは、入力された画像信号を、画像処理部の標準モードで画像を表示する位置であり、ここでは、便宜上、標準位置の中心点を原点（図中の、（０，０）の点）とし、Ｘ方向およびＹ方向を座標軸としてあらわされている。
【００３１】
いま、媒体検出部により、光書き込み媒体１１の傾き量１００が、反時計周りに、θ（ｒａｄ．）であると検出されたときは、座標変換部は、図中の太い鎖線で示すように、標準位置２１ａを反時計周りに、θ（ｒａｄ．）だけ回転させた位置２１ｂに座標変換する。
【００３２】
このとき、標準位置２１ａにおける任意の座標（ｘ、ｙ）を回転させた、座標変換後の座標（Ｘ、Ｙ）は、
Ｘ＝ｘ・ｃｏｓθ＋ｙ・ｓｉｎθ
Ｙ＝−ｘ・ｓｉｎθ＋ｙ・ｃｏｓθ
で与えられる。
【００３３】
さらに、媒体検出部により、光書き込み媒体１１の位置ずれ量１１０が（Ｌｘ，Ｌｙ）すなわち、Ｘ方向成分がＬｘ、Ｙ方向成分がＬｙであると検出されたときは、座標変換部は、図中の太い鎖線で示す、標準位置２１ａを反時計周りにθ（ｒａｄ．）だけ回転させた位置２１ｂを、さらにＸ方向にＬｘ、Ｙ方向にＬｙだけずらして、図中の太い実線で示す、光書き込み媒体１１の配置位置に重なる位置に座標変換する。
【００３４】
このとき、標準位置２１ａにおける任意の座標（ｘ、ｙ）を回転させ、さらに移動させた、座標変換後の座標（Ｘ、Ｙ）は、
Ｘ＝ｘ・ｃｏｓθ＋ｙ・ｓｉｎθ＋Ｌｘ
Ｙ＝−ｘ・ｓｉｎθ＋ｙ・ｃｏｓθ＋Ｌｙ
で与えられる。
【００３５】
なお、これらの処理は、いわゆるアフィン変換と称する座標変換のパラメータ設定により一括処理することもできる。
【００３６】
ここで、本実施形態では、原点を中心にして回転させることにより座標変換後の座標（Ｘ、Ｙ）を求めているが、任意の点を中心にして回転させることにより、座標変換後の座標（Ｘ、Ｙ）を求めることもできる。
【００３７】
このように、媒体検出部により検出された光書き込み型記録媒体１１の傾き量１００および位置ずれ量１１０を検出して、表示画面に表示される画像の位置を、標準位置を基準にして、傾き量１００だけ回転させ、さらに検出された位置ずれ量１１０だけ移動させるので、光書き込み型記録媒体１１が表示画面上に搬送されたときにスキューしていても、画像が表示される位置がそれに合わせて変わり、光書き込み型記録媒体１１の正常な位置に画像を記録することができる。
【００３８】
図４は、媒体検出部による光書き込み型記録媒体の傾き量および位置ずれ量の検出方法を示す図である。
【００３９】
図４において、ディスプレイ部の表示画面があり、表示画面上には、媒体検出部の２次元センサ２５ａが配置されている。また、表示画面は、光書き込み型記録媒体１１が搬送される方向がＸ方向、Ｘ方向に直交する方向がＹ方向にそれぞれ設定されている。
【００４０】
図中の太い破線は、画像が表示される標準位置２１ａを、鎖線は、標準位置をθ（ｒａｄ．）だけ回転させた位置２１ｂを示し、図中の太い実線は、光書き込み型記録媒体１１のエッジ位置を示す。また、ここでは、便宜上、標準位置の中心点を原点（図中の、（０，０）の点）とし、Ｘ方向およびＹ方向を座標軸としてあらわされている。
【００４１】
図４に示すように、媒体検出部は、所定面積の２次元センサ２５ａを有し、２次元センサ２５ａの辺と、表示画面２１の辺とが平行に、表示画面２１の隅と２次元センサ２５ａの隅とが合致するようにして、右側上方に配置されている。２次元センサ２５ａは、表示画面２１上に密着させて配置された光書き込み型記録媒体１１又は表示画面２１からの反射光を受光し、各位置における受光光量（濃度）を出力する。
【００４２】
一方、媒体検出部の演算部２５ｂは、２次元センサ２５ａから出力された各位置における濃度データを、例えば１次微分処理、あるいは２次微分処理を行ない、光書き込み型記録媒体１１のエッジ位置の座標を検出する。
【００４３】
本実施形態においては、演算部２５ｂによる１次微分処理の結果から、光書き込み型記録媒体１１のエッジ位置Ｐｘ（Ｘｘ、Ｙｙ）と、光書き込み型記録媒体１１の隅Ｐｃ（Ｃｘ，Ｃｙ）とを直接検出することができる。
【００４４】
図５は、媒体検出部で、光書き込み型記録媒体の傾き量およびずれ量を求める手順を示すフローチャートである。
【００４５】
図４に示すように、先ず、２次元センサ２５ａの出力を１次微分し、Ｘ方向の微分値ΔＸおよびＹ方向の微分値ΔＹを求め、［（ΔＸ）２＋（ΔＹ）２］１／２  が所定値以上になる座標位置から、光書き込み型記録媒体１１のエッジ位置Ｐｘ（Ｘｘ、Ｙｙ）および光書き込み型記録媒体１１の隅Ｐｃ（Ｃｘ，Ｃｙ）を特定する（Ｓ−１）。
【００４６】
次に、エッジ位置Ｐｘ（Ｘｘ、Ｙｙ）および隅Ｐｃ（Ｃｘ，Ｃｙ）の座標から、光書き込み型記録媒体１１の傾き量、θ（ｒａｄ．）１００を次式により算出する（Ｓ−２）。
【００４７】
θ＝ｔａｎ−１｛（Ｘｘ−Ｃｘ）／（Ｘｙ−Ｃｙ）｝
さらに、標準位置２１ａの隅であるＰｃｏの座標（Ｃｏｘ，Ｃｏｙ）は、予め定められているので、標準位置２１ａをθ（ｒａｄ．）回転させたときのＰｃｏに対応する隅Ｐｃｒの座標（Ｃｒｘ、Ｃｒｙ）を次式により算出する（Ｓ−３）。
【００４８】
Ｃｒｘ＝Ｃｏｘ・ｃｏｓθ＋Ｃｏｙ・ｓｉｎθ
Ｃｒｙ＝−Ｃｏｘ・ｓｉｎθ＋Ｃｏｙ・ｃｏｓθ
そして、光書き込み型記録媒体１１の隅Ｐｃ（Ｃｘ，Ｃｙ）と、標準位置２１ａをθ（ｒａｄ．）回転させたときの隅Ｐｃｒの座標（Ｃｒｘ、Ｃｒｙ）とから、光書き込み型記録媒体１１の位置ずれ量（Ｌｘ，Ｌｙ）１１０のＸ方向成分Ｌｘ、およびＹ方向成分Ｌｙを次式により算出する（Ｓ−４）。
【００４９】
Ｌｘ＝Ｃｘ−Ｃｒｘ
Ｌｙ＝Ｃｙ−Ｃｒｙ
このようなステップを踏むことで、記録媒体の傾き量θ１００および位置ずれ量（Ｌｘ，Ｌｙ）１１０の検出が可能になる。そして、座標変換部は、検出された光書き込み型記録媒体１１の傾き量θ１００および位置ずれ量（Ｌｘ，Ｌｙ）１１０に基づいて、ディスプレイ部に転送する画像データの座標変換を行う。
【００５０】
ここで、本実施形態の光書き込み型記録媒体１１は、表示画面２１に配置されたときに配置位置を認識するためのマーク等は設けられていないが、媒体検出部の２次元センサ２５ａによる認識精度を上げるために、例えば認識マークを付加することにしてもよい。
（第２の実施形態）
第２の実施形態は、第１の実施形態に較べて、使用する光書き込み型記録媒体に電極が積層され、光書き込み部には、その電極にコンタクトして電圧を印加する導電ロールが備えられている点、光書き込み部には、画像の表示を標準モードと追従モードとのうちの何れか一方に切り換える表示切換部が備えられ、ユーザは標準位置に表示された画像を記録するか、光書き込み型記録媒体の配置位置に表示された画像を記録するかの選択ができる点、および媒体検出部に備えるセンサは、１次元センサアレイである点が相違する。しかし、それ以外の点は共通するので、相違点を主体に説明し、それ以外の重複する説明は省略する。
【００５１】
図６は、第２の実施形態の画像書き込み装置の全体構成をあらわす概略構成図である。
【００５２】
図６における、最上段、左右には、光書き込み型記録媒体および光書き込み部の平面図を示し、それより下段には、それぞれの側面図を示している。なお、図の右方に示す光書き込み部については、（ａ）には、光書き込み型記録媒体が搬送される前の状態、（ｂ）には、光書き込み媒体が搬送される途中の状態、（ｃ）には、光書き込み媒体が表示画面上に配置された状態、（ｄ）には、光書き込み媒体に画像が記録されて排除される状態をそれぞれ示す。
【００５３】
本実施形態で用いる光書き込み型記録媒体１２は、１対のＰＥＴ基板それぞれの内面に電極１２ａが形成され、その１対の電極間にコレステリック液晶からなる表示層と光の照射により光量分布に応じたインピーダンス分布が生じる光導電層とが積層されている。そして、１対の電極１２ａそれぞれには、電圧印加手段がコンタクトする１対の電極端子１２ｂが形成されている。ただし、表示層は、単層のものであっても、また多層のものであってもよい。
【００５４】
画像書き込み装置は、画像を表示する表示画面２１に、光書き込み型記録媒体１２へ記録する画像を表示したり、光書き込み型記録媒体１２に電圧を印加する光書き込み部２０と、図示しないフォルダ部から引き出された光書き込み型記録媒体１２を矢印Ａ方向に搬送し、表示画面２１上に配置する搬送ロール３２と、表示画面２１上に配置された光書き込み型記録媒体１２の電極端子１２ｂに接触し電圧を印加する導電ロール３５とを備えている。
【００５５】
なお、光書き込み型記録媒体１２を複数収納するフォルダ部１０、フォルダ部１０から光書き込み型記録媒体１２を１枚ずつ引き出すフィードロール３１、画像が記録された光書き込み型記録媒体を排出する排出ロール３３、画像が記録された光書き込み型記録媒体１２を収容するトレイ３４、並びにフィードロール３１、搬送ロール３２、および排出ロール３３を駆動し光書き込み型記録媒体１２を表示画面上に搬送するタイミングを調整するとともに、光書き込み部２０による画像表示および電圧印加のタイミングを調整する制御部５は、図１に示したものと同じであり、省略されている。
【００５６】
光書き込み部２０は、画像が表示されるディスプレイ部２２と、パーソナルコンピュータ（以下、「ＰＣ」と称する。）などとのインタフェースを持ち、表示画面２１の、光書き込み型記録媒体１１が配置された配置位置に画像を表示する画像処理部２３と、表示画面２１上に配置された光書き込み型記録媒体１１の配置位置を検出する媒体検出部２５とを備えている。また、画像処理部２３は、表示画面の、予め決められた標準位置に画像を表示する標準モードと、媒体検出部２５により検出された光書き込み型記録媒体１１の配置位置に合わせて画像を表示する追従モードとを有しており、そのうちの追従モードにより画像を表示するときに必要な座標変換処理を行う座標変換部２４を有する。さらに、本実施形態では、画像処理部２３は、ユーザが図示しないボタンを操作することにより、表示画面２１に画像を表示するモードを、標準モードと追従モードの何れかに切換えることができるモード切換部２８を備えている。
【００５７】
したがって、例えばＰＣ画面上で編集された画像のビットマップデータをインタフェースを介してシリアル信号に変換されて入力された画像信号は、画像処理部２３で、予め決められた標準位置に画像を表示するための拡大縮小処理などの座標変換処理が施される。この場合、ユーザが標準モードを選択しているときには、その座標変換処理が施された各座標の輝度情報がディスプレイ部２２に転送され、表示画面の標準位置に画像が表示される。一方、ユーザが追従モードを選択しているときには、さらに、媒体検出部２５で検出された光書き込み型記録媒体１１の配置位置情報に基づいて、座標変換部２４が標準位置を基準とする回転、移動などの座標変換処理が施される。そしてその座標変換処理後の各座標の輝度情報がディスプレイ部２２に転送され、表示画面の、光書き込み型記録媒体１１の配置位置に画像が表示される。
【００５８】
一般に、光書き込み型記録媒体１２に記録する画像が線図や表など、線の多い画像である場合には、変更位置に画像を表示すると、ジャギーが発生する場合がある。したがって、このようなモード切換部２８を備えれば、ユーザは、光書き込み型記録媒体１２の配置位置に画像を表示して正常な位置に画像を記録するか、画像の記録位置が正常な位置から多少ずれていても、ジャギーの少ない画像を記録するかの選択を行うことができる。特に、リライタブル性（再書き換え可能性）を有する光書き込み型記録媒体においては、画像が記録されて出力されたものをユーザが確認し、その結果に応じてボタン操作によりモード切換部２８を切り換えて画像を再記録することにしても、紙媒体に画像を記録する場合のように紙をゴミにすることがないので有効である。
【００５９】
さらに、モード切換部２８による画像の表示位置の補正選択を、傾きと位置ずれの何れか一方のみを行うように構成してもよい。それによって、例えばジャギーは抑制し、位置ずれの修正だけは行うなどの選択が可能となる。さらに、このモード切換を、画像書き込み装置側で行うばかりではなく、インタフェースを介して接続された、例えばＰＣ上で行うようにしてもよい。
【００６０】
本実施形態では、表示画面に画像を表示する位置を、ユーザがボタン操作によりモードを選択することにしているが、通常は、標準位置に画像表示し、追従モードを選択するときだけボタン操作することにしてもよい。
【００６１】
なお、図示しない媒体検出部２５は、後述するように、ＣＣＤ又はフォトダイオードなどを１次元配列した、光書き込み型記録媒体の搬送方向に２個、搬送方向に交わる方向に１個配置された１次元センサアレイと、１次元センサアレイで検知した光書き込み型記録媒体のエッジ位置を３点検知し、その検知結果から、表示画面の標準位置を基準とする、光書き込み型記録媒体の傾き量（角度）と、位置ずれ量（Ｘ方向成分とＹ方向成分）とを求める演算部とを備えている。
【００６２】
この画像書き込み装置を用いて光書き込み型記録媒体１２に画像を記録するときは、図示しない制御部の指令を受けて、フィードロールはフォルダー部から光書き込み型記録媒体を１枚引き出し、搬送ロール３２は、光書き込み型記録媒体１２を光書き込み部２０の表示画面２１上に密着させて配置する（ａ，ｂ，ｃ）。光書き込み型記録媒体１２が配置されると、光書き込み部２０は、制御部の指令を受けて、表示画面２１上に配置された光書き込み型記録媒体１２の配置位置にあわせて、バックライトに照らし出された表示画面２１に、画像を表示する。それと同時に、光書き込み型記録媒体１２の１対の電極端子１２ｂに接触する導電ロール３５から電圧を印加し、光書き込み型記録媒体１２に、表示画面に表示された画像を記録される。画像が記録されると、搬送ロールおよび排出ロールは、制御部の指令を受けて、光書き込み型記録媒体１２を表示画面２１上から排出しトレイに収容する（ｄ）。
【００６３】
図７は、第２の実施形態の媒体検出部による光書き込み型記録媒体の傾き量および位置ずれ量の検出方法を示す図である。
【００６４】
図７において、ディスプレイ部の表示画面２１があり、その表示画面２１に光書き込み型記録媒体１１が搬送される方向がＸ方向、Ｘ方向に直交する方向が、Ｙ方向に設定されている。また、図中の太い破線は、表示画面２１の標準位置２１ａを示す。この標準位置２１ａは、入力された画像信号を、画像処理部の標準モードで画像を表示する位置であり、ここでは、便宜上、標準位置の中心点を原点（図中の、（０，０）の点）とし、Ｘ方向およびＹ方向を座標軸としてあらわされている。さらに、図中の鎖線は、標準位置をθ（ｒａｄ．）回転させた位置２１ｂを示し、実線は、搬送ロールにより搬送され、表示画面上に配置された状態の光書き込み型記録媒体１２のエッジ位置を示す。
【００６５】
表示画面２１上には、媒体検出部の１次元センサ２５ｃが、Ｘ方向に２個、Ｙ方向に１個配置されている。１次元センサ２５ｃそれぞれの大きさ、解像度、画素数は、光書き込み型記録媒体１２が搬送ロールで搬送されて表示画面２１上に配置されたときに生じ得る、標準位置からの最大傾き量および位置ずれ量に対し検出可能に設定されている。
【００６６】
本実施形態の媒体検出部においては、Ｘ方向に配置された２個の１次元センサ２５ｃにより、光書き込み型記録媒体１２の第１の辺上の２個所のエッジ位置Ｐ１（ｘ１，ｙ１）、Ｐ２（ｘ２，ｙ２）を検知し、Ｙ方向に配置された１個の１次元センサ２５ｃにより第１の辺に直交する第２の辺上の１個所のエッジ位置Ｐ３（ｘ３，ｙ３）を検知する。そして、媒体検出部の演算部２５ｂは、第１の辺上の２個所のエッジ位置Ｐ１（ｘ１，ｙ１）、Ｐ２（ｘ２，ｙ２）から光書き込み型記録媒体１２の傾き量θ（ｒａｄ．）１００および第１の辺の直線式を、第２の辺上の１個所のエッジ位置Ｐ３（ｘ３，ｙ３）と第１の辺の直線式とから第２の辺の直線式および光書き込み型記録媒体の隅Ｐｃ（Ｃｘ，Ｃｙ）の座標を求め、これらから、光書き込み型記録媒体１２の位置ずれ量１１０を求める。
【００６７】
図８は、媒体検出部で、光書き込み型記録媒体の傾き量およびずれ量を求める手順を示すフローチャートである。
【００６８】
図７に示すように、先ず、３個の１次元センサ２５ｃにより、光書き込み型記録媒体１２の第１の辺上の２個所のエッジ位置Ｐ１（ｘ１，ｙ１）、Ｐ２（ｘ２，ｙ２）を検知し、Ｙ方向に配置された１次元センサ２５ｃにより第１の辺に直交する第２の辺上の１個所のエッジ位置Ｐ３（ｘ３，ｙ３）を検知する（Ｓ−１１）。
【００６９】
次に、媒体検出部の演算部２５ｂは、エッジ位置Ｐ１（ｘ１，ｙ１）、Ｐ２（ｘ２，ｙ２）から、光書き込み型記録媒体１２の傾き量θ（ｒａｄ．）１００を次式により求めるとともに、その傾き量θ（ｒａｄ．）１００を用いることにより、予め設定されている標準位置の隅Ｐｃｏ（Ｃｏｘ，Ｃｏｙ）をθ（ｒａｄ．）回転した隅の位置Ｐｃｒの座標（Ｃｒｘ，Ｃｒｙ）を求める（Ｓ−１２、Ｓ−１３）。
【００７０】
θ＝ｔａｎ−１｛（ｘ１−ｘ２）／（ｙ１−ｙ２）｝
Ｃｒｘ＝Ｃｏｘ・ｃｏｓθ＋Ｃｏｙ・ｓｉｎθ
Ｃｒｙ＝−Ｃｏｘ・ｓｉｎθ＋Ｃｏｙ・ｃｏｓθ
また、媒体検出部の演算部２５ｂは、エッジ位置Ｐ１（ｘ１，ｙ１）、Ｐ２（ｘ２，ｙ２）、Ｐ３（ｘ３，ｙ３）から、第１の辺の直線式および第１の辺に直交する第２の辺の直線式を求めるとともに、第１の辺の直線式と第２の辺の直線式とから、光書き込み型記録媒体１２の隅Ｐｃの座標（Ｃｘ、Ｃｙ）を求める（Ｓ−１４）。
Ｃｘ＝｛（ｘ２−ｘ１）×［ｙ３（ｙ２−ｙ１）＋ｘ３（ｘ２−ｘ１）］−（ｘ２・ｙ１−ｘ１・ｙ２）×（ｙ２−ｙ１）｝／｛（ｙ２−ｙ１）２＋（ｘ２−ｘ１）２｝
Ｃｙ＝｛（ｙ２−ｙ１）×Ｃｘ＋（ｘ２・ｙ２−ｘ１・ｙ２）｝／（ｘ２−ｘ１）
次に、媒体検出部の演算部２５ｂは、隅Ｐｃの座標（Ｃｘ、Ｃｙ）と、回転した隅の位置Ｐｃｒの座標（Ｃｒｘ，Ｃｒｙ）とから、Ｘ方向の成分Ｌｘ、Ｙ方向の成分Ｌｙからなる位置ずれ量１１０を次式により求める（Ｓ−１５）。
Ｌｘ＝Ｃｘ−Ｃｒｘ
Ｌｙ＝Ｃｙ−Ｃｒｙ
本実施形態において、傾き量およびずれ量を求める手順は、一例であって、他の方法で求めてもよい。
【００７１】
例えば、隅Ｐｃｒの座標は、傾き量θ（ｒａｄ．）１００を用いて、次の式により求めることができる。ただし、この例では、反時計まわりは負、時計回りは正とする。
Ｃｒｘ＝Ｒｃｏｓ｛ｔａｎ−１（Ｃｏｙ／Ｃｏｘ）−θ｝
Ｃｒｙ＝Ｒｓｉｎ｛ｔａｎ−１（Ｃｏｙ／Ｃｏｘ）−θ｝
Ｒ＝（Ｃｏｘ２＋Ｃｏｙ２）１／２
このようなステップを踏むことで、記録媒体の傾き量θ１００および位置ずれ量（Ｌｘ、Ｌｙ）１１０を検出することができる。
【００７２】
なお、Ｐ１（ｘ１，ｙ１）とＰ２（ｘ２，ｙ２）のＸ座標が等しい場合には、傾きは０となるので、ステップ１２の処理は省略することができる。また、位置ずれ量（Ｌｘ、Ｌｙ）１１０のうち、Ｌｘは、標準位置２１ａのＰｃｏ（Ｃｏｘ，Ｃｏｙ）のＸ座標と、Ｐ１（ｘ１，ｙ１）又はＰ２（ｘ２，ｙ２）のＸ座標との差分から、またＬｙは、標準位置２１ａのＰｃｏ（Ｃｏｘ，Ｃｏｙ）のＹ座標と、Ｐ３（ｘ３，ｙ３）のＹ座標との差分から、それぞれ求めることができるので、ステップ１３、ステップ１４の処理を省略することができる。
【００７３】
【発明の効果】
本発明の画像書き込み装置および画像書き込み方法によれば、光書き込み型記録媒体の配置位置を検出し、その検出された位置情報に基づいて光書き込み型記録媒体の配置位置に合わせて画像を表示し、その画像を記録することができるので、例えばフォルダ部からロールにより引き出され、ロールにより表示画面上に配置された結果、スキューが生じていても、光書き込み型記録媒体の正常な位置に画像を記録することができる。
【図面の簡単な説明】
【図１】第１の実施形態の画像書き込み装置の全体構成をあらわす概略構成図である。
【図２】光書き込み部の断面を示す概略構成図である。
【図３】座標変換部による、標準位置を基準とする座標変換処理のアルゴリズムを示す模式図である。
【図４】媒体検出部による光書き込み型記録媒体の傾き量および位置ずれ量の検出方法を示す図である。
【図５】媒体検出部で、光書き込み型記録媒体の傾き量およびずれ量を求める手順を示すフローチャートである。
【図６】第２の実施形態の画像書き込み装置の全体構成をあらわす概略構成図である。
【図７】第２の実施形態の媒体検出部による光書き込み型記録媒体の傾き量および位置ずれ量の検出方法を示す図である。
【図８】媒体検出部で、光書き込み型記録媒体の傾き量およびずれ量を求める手順を示すフローチャートである。
【符号の説明】
５    制御部
１０  フォルダ部
１１，１２  光書き込み型記録媒体
１２ａ  １対の電極
１２ｂ  １対の電極端子
２０  光書き込み部
２１  表示画面
２１ａ  標準位置
２１ｂ  標準位置をθだけ回転させた位置
２２  ディスプレイ部
２３  画像処理部
２４  座標変換部
２５  媒体検出部
２５ａ  二次元センサ
２５ｂ  演算部
２５ｃ  １次元センサ
２６  バックライト
２８  モード切換部
３０  搬送部
３１  フィードロール
３２  搬送ロール
３３  排出ロール
３４  トレイ
３５  導電ロール
１００  傾き量
１１０  位置ずれ量
【図１】
2004252120.tif 000003
【図２】
2004252120.tif 000004
【図３】
2004252120.tif 000005
【図４】
2004252120.tif 000006
【図５】
2004252120.tif 000007
【図６】
2004252120.tif 000008
【図７】
2004252120.tif 000009
【図８】
2004252120.tif 000010